(57)【要約】      （修正有）【課題】防水及び排水機能を有した電子機器を提供する。【解決手段】電子機器は、ハウジング及び第一排水部７８を備える。ハウジングは、互いに反対に位置する外側面及び内側面を備え、第一排水部は、第一当止部７８２及び少なくとも一つの通孔を備え、第一当止部７８２は、内側面から突出し、前記通孔は、前記内側面に設けられ且つ第一当止部７８２に囲まれ、電子機器に入った液体は、第一当止部内７８２に留められ且つ通孔から排出される。【選択図】図７
2014229319.tif 000002
【特許請求の範囲】
【請求項１】
ハウジングと、
第一排水部と、
を備える電子機器であって、
前記ハウジングは、互いに反対に位置する外側面及び内側面を備え、
前記第一排水部は、第一当止部及び少なくとも一つの通孔を備え、
前記第一当止部は、内側面から突出し、
前記通孔は、前記内側面に設けられ且つ前記第一当止部に囲まれ、
前記電子機器に入った液体は、前記第一当止部内に留められ且つ前記通孔から排出されることを特徴とする電子機器。
【請求項２】
前記第一排水部は、排出部を更に備え、
前記排出部は、前記ハウジングの外側面において前記第一当止部と対応する箇所に設置され、且つネット状を呈することを特徴とする請求項１に記載の電子機器。
【請求項３】
第二排水部を更に備え、
前記第二排水部は、第二当止部と、ガイド部と、少なくとも一つの第一排出孔と、を備え、
前記ガイド部は、前記ハウジングの第一側壁に設置され、
前記第二当止部は、前記第一側壁の下部に設置され且つ前記第一排出孔を囲み、
液体は、前記電子機器に入ると、前記ガイド部に沿って流れ込み、前記第二当止部に留められ、且つ前記第一排出孔から排出されることを特徴とする請求項２に記載の電子機器。
【請求項４】
タッチパネルと、
前記タッチパネルを前記ハウジングに固定するフレームと、
第一防水部と、
を更に備え、
前記第一防水部は、前記タッチパネルと前記フレームとの間に設置される複数の防水テープを備えることを特徴とする請求項１から３の何れか一項に記載の電子機器。
【請求項５】
前記第一防水部は、複数の連接テープを備え、
隣接する２つの前記防水テープは、一つの前記連接テープを介して互いに対して垂直に連接されることを特徴とする請求項４に記載の電子機器。
【請求項６】
前記ハウジングに設置されるスイッチと、
第二防水部と、
を更に備え、
前記スイッチは、回路基板及び回路基板に設置されたボタンを備え、
前記第二防水部は、前記回路基板及びボタンを収容し且つ前記フレームに固定され、前記フレームと共に前記回路基板及び前記ボタンを密封することを特徴とする請求項４又は５に記載の電子機器。
【請求項７】
第三防水部を更に備え、
前記ハウジングは、側壁と延伸壁とを備え、
前記延伸壁と前記側壁との間には、収容スロットが設けられ、
前記第三防水部は、前記収容スロット内に収容され、
前記フレームの下部は、前記収容スロットに挿入され且つ前記第三防水部と当接されることを特徴とする請求項４から６の何れか一項に記載の電子機器。
【発明の詳細な説明】
【技術分野】
【０００１】
本発明は、防水及び排水機能を有した電子機器に関するものである。
【背景技術】
【０００２】
水等の液体が、例えばノートパソコン等の電子機器にかかると、該液体は電子機器内に入って電子機器内の回路基板を損傷する場合がある。
【発明の概要】
【発明が解決しようとする課題】
【０００３】
本発明の目的は、上記問題を解決し、防水及び排水機能を有した電子機器を提供することである。
【課題を解決するための手段】
【０００４】
上記目的を達成するために、本発明に係る電子機器は、ハウジング及び第一排水部を備え、前記ハウジングは、互いに反対に位置する外側面及び内側面を備え、前記第一排水部は、第一当止部と少なくとも一つの通孔とを備え、前記第一当止部は、内側面から突出し、前記通孔は、前記内側面に設けられ且つ前記第一当止部に囲まれ、前記電子機器に入った液体は、前記第一当止部内に留められ且つ前記通孔から排出される。
【発明の効果】
【０００５】
本発明に係る電子機器は、第一排水部が設置されているため、電子機器に入った液体を排出できる。
【図面の簡単な説明】
【０００６】
【図１】本発明の実施形態に係る電子機器の組立斜視図である。
【図２】図１に示す電子機器の分解斜視図である。
【図３】図２に示す電子機器の別の視角からの分解斜視図である。
【図４】図２に示す電子機器のディスプレイアセンブリ及び第一防水部の分解斜視図である。
【図５】図４に示す電子機器のスイッチの分解斜視図である。
【図６】図４に示す電子機器の第一防水部がフレームに装着される状態を示す図である。
【図７】図２に示す電子機器のハウジングと、第三防水部と、排水構造との分解斜視図である。
【図８】図７に示す電子機器のハウジングと、第三防水部と、排水構造との別の視角からの分解斜視図である。
【図９】図７に示す電子機器のＩＸ部分の拡大図である。
【図１０】図８に示す電子機器のハウジングと、第三防水部と、排水構造との組立斜視図である。
【発明を実施するための形態】
【０００７】
図１〜図３に示したように、本発明の実施形態に係る電子機器１００は、ハウジング１０と、ハウジング１０に装着されるディスプレイアセンブリ３０と、スイッチ５０と、防水構造と、を備える。
【０００８】
ハウジング１０は、互いに反対に位置する外側面１３と内側面１４を備える。ハウジング１０は、底板１１と、底板１１の側辺から延伸する側壁１２と、２つの支持部１５と、延伸壁１７と、を備える。側壁１２は、互いに対向して位置する第一側壁１２１及び第二側壁１２２と、互いに対向して位置する第一端壁１２３及び第二端壁１２４と、を備える。ハウジング１０内には収容空間１６が設けられている。第二側壁１２１の両端には、定位孔１２５がそれぞれ設けられている。支持部１５は、定位孔１２５にそれぞれ係合され且つ外側面１３から突出し、電子機器１００を支持する。延伸壁１７は、内側面１４から上方へ延伸しているため、延伸壁１７と側壁１２との間には、収容スロット１８が設けられている。
【０００９】
図４に示したように、ディスプレイアセンブリ３０は収容空間１６内に収容される。ディスプレイアセンブリ３０は、ディスプレイ部３１と、タッチパネル３３と、フレーム３５と、を備える。フレーム３５は矩形を呈し且つ中空である。フレーム３５は、固定部３５０と、固定部３５０の内側の中央から固定部３５０の中央に向けて延伸する延伸部３５２と、を備える。これによって、フレーム３５の各側辺の切断面は、Ｔ字状を呈する。延伸部３５２において、第一側壁１２１と対応する側には貫通孔３５４及び貫通孔３５４の両側にそれぞれ位置する二つの第一収容溝３５６が設けられ、第二端壁１２４と対応する側には一つの第二収容溝３５７が設けられている。延伸部３５２の中にはディスプレイ部３１を収容する収容部３５８が設けられている。
【００１０】
タッチパネル３３は、フレーム３５に装着される。タッチパネル３３は、反対する両側にそれぞれ位置する外表面３３０及び内表面３３２(図３を参照)と、２つの第一連接部３３４と、第二連接部３３５と、を備える。外表面３３０は、ユーザがタッチパネル３３を操作できるようディスプレイアセンブリ３０の外側に設置される。内表面３３２には、２つの切欠口３３６１，３３６２が設けられている。切欠口３３６１はタッチパネル３３の第一側壁１２１と対応する側に設けられ、その長さは二つの第一収容溝３５６の互いに離れた端の間の長さと同じであって、切欠口３３６２の長さより長い。切欠口３３６２は、タッチパネル３３の第二端壁１２４と対応する側に設けられている。本実施形態において、第一連接部３３４は、フレキシブル回路基板であって、切欠口３３６１の両端から外部に向けて延出した後、下方へ湾曲して対応する第一収容溝３５６を挿通し、ディスプレイ部３１に接続される。第二連接部３３５は、切欠口３３６２から外部に向けて延出した後、下方へ湾曲して第二収容溝３５７を挿通し、ディスプレイ部３１に接続される。
【００１１】
図５に示したように、スイッチ５０は、延伸部３５２の第一側壁１２１と対応する側に設置され且つ切欠口３３６１と延伸部３５２との間に収容される。スイッチ５０は、操作部５２と、回路基板５４と、ボタン５６と、を備える。操作部５２は、延伸部３５２のディスプレイアセンブリ３０に面する面に設置され、且つユーザが操作できるようディスプレイアセンブリ３０の一側から露出している。回路基板５４は、延伸部３５２の操作部５２と反対する側に設置される。ボタン５６は、回路基板５４から突出し、且つ貫通孔３５４と対向する。操作部５２の一部は貫通孔３５４内に収容され、操作部５２を押圧すると、操作部５２はボタン５６に向けて移動した後ボタン５６を押圧して、ボタン５６をオン又はオフする。
【００１２】
図４、図６、図７を参照すると、防水構造は、タッチパネル３３とフレーム３５との間に設置される第一防水部７２と、スイッチ５０を保護する第二防水部７４と、フレーム３５とハウジング１０との間に装着される第三防水部７６と、を備える。
【００１３】
第一防水部７２は、複数の防水テープ７２１と、四つの連接テープ７２３と、クッション７２５と、を備える。防水テープ７２１は、スイッチ５０が設置されている箇所を除いて、延伸部３５２のタッチパネル３３に面する側に装着され、タッチパネル３３の内側面３２と延伸部３５２との間の隙間を密封する。各連接テープ７２３は、隣接する２つの防水テープ７２１の間にそれぞれ垂直に連接され、隣接する二つの防水テープ７２１を互いに対して垂直に位置させる。切欠口３３６１が設けられているため、切欠口３３６１と延伸部３５２との間の隙間は、内側面３３２と延伸部３５２との間の隙間より大きい。クッション７２５は、第一収容溝３５６と第二収容溝３５７に隣接する箇所に貼られた防水テープ７２１上に設置され、第一連接部３３４及び第二連接部３３５と延伸部３５２との間に形成される隙間をそれぞれ密封する。これによって、タッチパネル３３とフレーム３５との間に形成される隙間は全て密封されるので、液体がタッチパネル３３と延伸部３５２との間から電子機器１００内に進入するのを防ぐことができる。本実施形態において、クッション７２５はシリカゲルから製造される。
【００１４】
第二防水部７４は、回路基板５４及びボタン５６に緊密に貼設される。次いで、第二防水部７４及び回路基板５４、操作部５２は、ネジ５８によって、延伸部３５２の両側にそれぞれ固定される。これによって、回路基板５４及びボタン５６は、第二防水部７４と延伸部３５２との間に密封され、保護される。操作部５２は、第一連接部３３４に隣接するクッション７２５の間に収容され、その両端はクッション７２５にそれぞれ当接されるので、スイッチ５０の両端とフレーム３５との間の隙間はそれぞれ密封され、液体がスイッチ５０とフレーム３５との間から電子機器１００内に入ることを防ぐ。本実施形態において、第二防水部７４はシリカゲルから製造され、箱状を呈するが、別の実施形態において、第二防水部７４の形状及び材料は、これらに限定されず、必要に応じて設定することができる。
【００１５】
第三防水部７６は収容スロット１８内に収容される。本実施形態において、第三防水部７６はシリカゲルから製造され且つ中空の管状を呈する。フレーム３５がハウジング１０の内側面１４に装着される時、固定部３５０の下端は収容スロット１８内に係合され且つ第三防水部７６に当接され、液体がフレーム３５の固定部３５０とハウジング１０との間から電子機器１００内に入ることを防ぐ。
【００１６】
図７〜図１０を参照すると、防水構造は、ハウジング１０に装着される第一排水部７８と、二つの第二排水部７９と、第三排水部８０と、を更に備える。
【００１７】
第一排水部７８は、第一側壁１２１に設置され、複数の通孔７８１と、第一当止部７８２と、排出部７８３と、を備える。通孔７８１は、間隔をあけて第一側壁１２１の下部に設けられる。第一当止部７８２は、Ｕ字状を呈し、ハウジング１０の内側面１４から突出する複数のブロック部７８７を備える。第一当止部７８２は、間隔をあけてスイッチ５０及び第一連接部３３４の下方に設置される。第一当止部７８２の開口が設けられている端は、延伸壁１７に連接される。これによって、通孔７８１は、第一当止部７８２及び延伸壁１７に囲まれる。排出部７８３は、ハウジング１０の外側面１３に設けられ、通孔７８１と連通する。排出部７８３は、細長いネット状を呈する本体７８４と、本体７８４の一側面に突設された複数の係合部７８５と、を備える。第一側壁１２１には、係合部７８５と係合できる複数の装着孔７８６が設けられている。液体が第一連接部３３４に隣接する２つのクッション７２５とスイッチ５０との間から電子機器１００内に入った場合、液体は、第一当止部７８２に留められ、且つ通孔７８１及び排出部７８３を通して排出される。
【００１８】
二つの第二排水部７９は、支持部１５とそれぞれ対応する。各第二排水部７９は、第二当止部７９０と、ガイド部７９２と、第一排出孔７９４と、を備える。ガイド部７９２は、第一側壁１２１の底板１１と離れた端から底板１１に向かって斜めに延伸する。第二当止部７９０は、第一側壁１２１から突出し、ガイド部７９２を囲む。第一排出孔７９４は、ガイド部７９２と第二当止部７９０との間に設けられ、且つ底板１１を貫通する。延伸壁１７において、ガイド部７９２に隣接する箇所には、開口１８０がそれぞれ設けられている。液体がフレーム３５及び延伸壁１７との間から電子機器１００内に入ると、該液体は、収容スロット１８内に収容され開口１８０から流出した後、ガイド部７９２にガイドされながら、底板１１へ流れ込み、第二当止部７９０に留められた後、第一排出孔７９４から排出される。
【００１９】
第三排水部８０は、第二端壁１２４上に設置され、第二連接部３３５に対応する。第三排水部８０は、第三当止部８０１と、第二排水孔８０３と、を備える。第三当止部８０１は、ハウジング１０の内側面１４から突出し、且つＵ字状を呈し、第三当止部８０１の開口が設けられている端は第二端壁１２４に連接される。第二排水孔８０３は、第二端壁１２４に設けられ且つ第三当止部８０１に囲まれる。液体がタッチパネル３３の第二連接部３３５に隣接する箇所とフレーム３５との間から電子機器１００に入ると、液体は、第三当止部８０１に留められた後、第二排水孔８０３から排出される。
【００２０】
本発明に係る防水構造は、第一防水部７２及び第三防水部７６を介してタッチパネル３３とフレーム３５との間、フレーム３５とハウジング１０との間の隙間を密封し、第二防水部７４を介してスイッチ５０を保護する。また、第一排水部７８、第二排水部７９及び第三排水部７９を介して液体を排出できるので、電子機器を効果的に防水できる。
【符号の説明】
【００２１】
１０  ハウジング
１００  電子機器
１１  底板
１２  側壁
１２１  第一側壁
１２２  第二側壁
１２３  第一端壁
１２４  第二端壁
１２５  定位孔
１３  外側面
１４  内側面
１５  支持部
１６  収容空間
１７  延伸壁
１８  収容スロット
１８０  開口
３０  ディスプレイアセンブリ
３１  ディスプレイ部
３３  タッチパネル
３３０  外表面
３３２  内表面
３３４  第一連接部
３３５  第二連接部
３３６１，３３６２  切欠口
３５  フレーム
３５０  固定部
３５２  延伸部
３５４  貫通孔
３５６  第一収容溝
３５７  第二収容溝
３５８  収容部
５０  スイッチ
５２  操作部
５４  回路基板
５６  ボタン
５８  ネジ
７２  第一防水部
７２１  防水テープ
７２３  連接テープ
７２５  クッション
７４  第二防水部
７６  第三防水部
７８  第一排水部
７８１  通孔
７８２  第一当止部
７８３  排出部
７８４  本体
７８５  係合部
７８６  装着孔
７８７  ブロック部
７９  第二排水部
７９０  第二当止部
７９２  ガイド部
７９４  第一排水孔
８０  第三排水部
８０１  第三当止部
８０３  第二排水孔
【図１】
2014229319.tif 000003
【図２】
2014229319.tif 000004
【図３】
2014229319.tif 000005
【図４】
2014229319.tif 000006
【図５】
2014229319.tif 000007
【図６】
2014229319.tif 000008
【図７】
2014229319.tif 000009
【図８】
2014229319.tif 000010
【図９】
2014229319.tif 000011
【図１０】
2014229319.tif 000012